(57)【特許請求の範囲】
【請求項１】
建築物の外周部に設置して、複数階層に亘って作業空間を形成するための仮設足場であって、
上下に複数段設けた足場板と、
前記足場板の外側周部に設けた柵部材と、
前記建築物に固定するための固定部材と、
前記建築物の内部であって、外周部近傍に設けられ、前記固定部材を固定するための取付部と、
を備え、
前記取付部は、
前記建築物の床面に取り付けた基台と、
前記基台の上部に取り付けた鋼材と、
前記鋼材の上部に取り付けた断面略Ｌ字状のアングルと、
前記アングルの内角側に掛け渡したブレースと、
からなり、
前記固定部材に設けた固定孔と、前記アングルに設けた取付孔に、一連にボルトを挿通し、ボルトの先端部にナットをネジ付けることにより、前記建築物に対して前記足場板及び前記柵部材を固定した状態とする、
ことを特徴とする連層足場。
【請求項２】
前記柵部材の上部から下部に亘って、ブレース材を配設したことを特徴とする請求項１に記載の連層足場。
【請求項３】
前記足場板は、作業員が通過可能なハッチ開口部と、当該ハッチ開口部を閉塞するハッチカバーとを備えたことを特徴とする請求項１または２に記載の連層足場。
【発明の詳細な説明】
【技術分野】
【０００１】
本発明は、連層足場に関するものであり、例えば、建築物の外周部に設置して、複数階層に亘って作業空間を形成するための連層足場であって、建築物の外壁部に取付部が存在しない場合であっても、確実かつ効率良く設置することが可能な連層足場に関するものである。
【背景技術】
【０００２】
建築物を構築する際には、作業者の安全を確保するとともに効率良く作業を行う等の目的で、建築物の外周部に仮設足場を設置する。特に高層建築物では、複数階層に亘って作業空間を形成するための連層足場が用いられている。このような連層足場について、その設置方法等、種々の提案がなされている（例えば、特許文献１参照）。
【０００３】
特許文献１に記載された技術は、連層足場全体を解体することなく、出入口部を新設または拡張したり、外構工事を円滑に行ったりすることができる連層足場の設置方法に関するものである。この連層足場の設置方法では、建枠の鋼管支柱の下端部にジャッキベースを装着し、当該ジャッキベースが装着される建枠を所定の間隔毎に水平方向に建て並べることにより、連層足場の最下層部を設置する。また、連層足場の上層部は、最下層部を構成する建枠の上に他の建枠を組み上げるとともに、組み上げた建枠に対し所定の間隔毎に建造物の躯体部に固定する枠体締結具を装着することにより設置する。その後、ジャッキベースの全部またはその一部に対して収縮操作を行ない、最下層部を構成する建枠の全部またはその一部を解体するようになっている。
【先行技術文献】
【特許文献】
【０００４】
【特許文献１】特開２００５−２２６３９１号公報
【発明の概要】
【発明が解決しようとする課題】
【０００５】
上述したように、仮設足場として連層足場を用いる場合には、連層足場を建築物の外壁部に固定する必要がある。一般的な建築物では、外壁部に連層足場を固定するためのアンカー等の取付部を設けてある。しかし、建築物の構造によっては、外壁部にアンカー等の取付部を設けることができない場合もあり、このような構造の建築物では、連層足場を固定するための工夫が必要である。
【０００６】
本発明に係る連層足場は、上述した事情に鑑み提案されたもので、複数階層に亘って作業空間を形成するための連層足場であって、建築物の外壁部に取付部が存在しない場合であっても、確実かつ効率良く設置することが可能な連層足場を提供することを目的とする。
【課題を解決するための手段】
【０００７】
本発明に係る連層足場は、上述した目的を達成するため、以下の特徴点を有している。すなわち、本発明に係る連層足場は、建築物の外周部に設置して、複数階層に亘って作業空間を形成するための仮設足場であって、上下に複数段設けた足場板と、足場板の外側周部に設けた柵部材と、建築物に固定するための固定部材と、建築物の内部であって、外周部近傍に設けられ、固定部材を固定するための取付部とを備えている。また、取付部は、建築物の床面に取り付けた基台と、基台の上部に取り付けた鋼材と、鋼材の上部に取り付けた断面略Ｌ字状のアングルと、アングルの内角側に掛け渡したブレースとからなる。そして、固定部材に設けた固定孔と、アングルに設けた取付孔に、一連にボルトを挿通し、ボルトの先端部にナットをネジ付けることにより、建築物に対して足場板及び柵部材を固定した状態とする。
【０００８】
また、上述した構成からなる連層足場において、柵部材の上部から下部に亘って、ブレース材を配設することが好ましい。
【０００９】
また、上述した構成からなる連層足場において、足場板は、作業員が通過可能なハッチ開口部と、ハッチ開口部を閉塞するハッチカバーとを備えることが好ましい。
【発明の効果】
【００１０】
本発明に係る連層足場によれば、建築物の外壁部に取付部が存在しない場合であっても、建築物の外周部に連層足場を設置することができる。このため、作業効率が向上するだけでなく、これに伴い施工品質も向上し、さらに施工費用を低減することが可能となる。
【００１１】
また、ブレース材を配設することにより、連層足場の歪みを防止し、連層足場の強度を低下させることなく、軽量化を図ることができる。さらに、ハッチ開口部及びハッチカバーを備えることにより、複数階層に亘って、作業員が容易に移動することができる。
【図面の簡単な説明】
【００１２】
【図１】本発明の実施形態に係る連層足場の平面図。
【図２】本発明の実施形態に係る連層足場の側面図。
【図３】本発明の実施形態に係る連層足場において、建築物に設けた取付部の説明図。
【発明を実施するための形態】
【００１３】
以下、図面を参照して、本発明の実施形態に係る連層足場を説明する。図１〜図３は本発明の実施形態に係る連層足場を説明するもので、図１は連層足場の平面図、図２は連層足場の側面図、図３は建築物に設けた取付部の説明図（側面から見た状態）である。なお、図示した連層足場は、平面視した場合に断面略Ｌ字状であるが、本発明に係る連層足場の形状はこれに限られるものではなく、他の形状であってもよい。
【００１４】
＜連層足場の概要＞
本発明の実施形態に係る連層足場１０は、建築物の外周部に設置して、複数階層に亘って作業空間を形成するための仮設足場である。この連層足場１０は、図１及び図２に示すように、足場板２０と柵部材３０とにより足場を形成するとともに、建築物に対して固定するための固定部材４０を備えている。また、連層足場１０を固定する建築物には、その内部であって、外周部近傍に取付部５０を設けてある。そして、固定部材４０を取付部５０に固定することにより、建築物に対して連層足場１０を固定することができる。
【００１５】
すなわち、本発明の実施形態に係る連層足場１０は、建築物の外壁部（外壁面）に取付部が存在しない場合であっても、建築物に連層足場１０を取り付けることができるようにした点に特徴がある。そして、連層足場１０に設けた固定部材４０と、建築物の内部に設けた取付部５０とを用いて、建築物に連層足場１０を取り付けるようになっている。
【００１６】
＜足場板＞
足場板２０は、建築物の複数階層に対応するように、上下に複数段設けてある。足場板２０の段数は限定されないが、図１及び図２に示す例では４段となっている。この足場板２０は、一般的な足場に使用するものと同様に、例えば、アルミニウム製で、水抜き及び滑り止めのための複数の小孔を備えていることが好ましい。後に詳述するが、足場板２０にはハッチ開口部２１が開口しており、ハッチ開口部２１にはハッチカバー２２を回動可能に取り付けてある。
【００１７】
＜柵部材＞
柵部材３０は、足場板２０の外側周部に設けてあり、連層足場１０を設置した際に空中に位置する足場板２０の外周部から上方へ向かって立ち上げて設けることにより、作業者の落下を防止した作業スペースを形成する。この柵部材３０は、例えば、図２に示すように、複数の支柱３１と、隣り合う支柱３１の間に掛け渡す囲い部材３２とからなる。なお、柵部材３０の形状は図２に示すものに限られず、作業者の落下を防止することができれば、網状等、どのような形状であってもよい。
【００１８】
＜ブレース材＞
ブレース材３３は、柵部材３０の上部から下部に亘って掛け渡した部材であり、連層足場１０の歪みを防止し、連層足場１０を軽量化しても、その強度を低下させないために設けてある。ブレース材３３を掛け渡す部分は、図２に示す位置に限られず、連層足場１０の構造や所望する強度に応じて、適宜箇所に設けることができる。
【００１９】
＜ハッチ開口部／ハッチカバー＞
ハッチ開口部２１は、連層足場１０の各階層間を作業者が移動するための開口である。したがって、ハッチ開口部２１は作業者が通過可能な大きさとなっている。また、ハッチ開口部２１には、ハッチ開口部２１を閉塞するためのハッチカバー２２を取り付けてある。
【００２０】
このハッチカバー２２は、ハッチ開口部２１の形状に合わせて略正方形状となっており、一辺を回動軸として、足場板２０に対して回動可能に取り付けてあり、ハッチ開口部２１を閉塞した状態と、ハッチ開口部２１を開放した状態とに回動するようになっている。作業者が上下階層間を移動する際には、ハッチカバー２２を上側へ向かって回動さてハッチ開口部２１を開放した状態とし、通常はハッチ開口部２１を閉塞した状態とする。
【００２１】
＜固定部材／取付部＞
固定部材４０は、図２に示すように、柱部材の一部として構成してあり、建築物に対向する面に固定孔（図示せず）を設けてある。取付部５０は、建築物の内部であって、外周部近傍に設けてあり、図３に示す例では、建築物の床面に取り付けた基台５１と、基台５１の上部に取り付けた鋼材（Ｈ型鋼）５２と、鋼材（Ｈ型鋼）５２の上部に取り付けた断面略Ｌ字状のアングル５３により構成し、アングル５３には、固定部材４０の固定孔に対向する位置に取付孔（図示せず）を備えている。また、アングル５３の内角側にはブレース５４を掛け渡してある。そして、固定部材４０に設けた固定孔（図示せず）と、取付部５０に設けた取付孔（図示せず）とを対向させて、一連にボルト５５を挿通し、ボルト５５の先端部にナット５６をネジ付けることにより、建築物に対して連層足場１０を固定することができる。
【００２２】
＜連層足場の設置＞
連層足場１０を設置するには、クレーン等を用いて連層足場１０を吊り下げ、所定の設置高さに到達したら、固定部材４０を取付部５０に取り付けることにより、建築物の外周部に連層足場１０を固定する。建築物に対して連層足場１０を固定する箇所は、連層足場１０の形状、大きさ、重量等に応じて、適宜設定することができる。また、建築物の外壁と連層足場１０との間の適宜箇所には、スペーサ（緩衝部材）を介在させることが好ましい。
【００２３】
所定の階層における作業が終了したら、再びクレーン等を用いて連層足場１０を吊り下げ、固定部材４０による固定を解除し、次の設置高さまで移動させて、固定部材４０を取付部５０に取り付けることにより、次の作業位置において、建築物の外周部に連層足場１０を固定する。また、連層足場１０による作業が終了したら、再びクレーン等を用いて連層足場１０を吊り下げ、連層足場１０を解体して地上に降ろす。
【符号の説明】
【００２４】
１０  連層足場
２０  足場板
２１  ハッチ開口部
２２  ハッチカバー
３０  柵部材
３１  支柱
３２  囲い部材
３３  ブレース材
４０  固定部材
５０  取付部
５１  基台
５２  鋼材
５３  アングル
５４  ブレース
５５  ボルト
５６  ナット
【図１】
0006774209.tif 000002
【図２】
0006774209.tif 000003
【図３】
0006774209.tif 000004